【手続補正書】
【提出日】平成28年7月11日(2016.7.11)
【手続補正１】
【補正対象書類名】特許請求の範囲
【補正対象項目名】全文
【補正方法】変更
【補正の内容】
【特許請求の範囲】
【請求項１】
試験処理を実行するサーバと，前記サーバと通信ネットワークを介して接続する第１及び第２の端末と，
前記第１及び第２の端末の近傍に接続された指示装置と，
前記サーバの近傍に設けられ，前記通信ネットワークを介して前記第１及び第２の端末に接続する計測装置と，を有する試験システムにおいて，
前記指示装置は，前記第１及び第２の端末に計測用信号の送信を要求する第１要求信号を送信する処理部を有し，
前記第１及び第２の端末は，前記第１要求信号に応答して前記計測装置に前記計測用信号を送信する処理部を有し，
前記計測装置は，前記第１及び第２の端末から送信された前記計測用信号の到達の時間差を計測し，前記時間差を前記第１及び第２の端末とに送信する処理部を有し，
前記指示装置は，さらに，前記第１及び第２の端末に，前記サーバに試験処理を要求するための処理要求信号の送信を要求する第２要求信号を送信する処理部を有し，
前記第１及び第２の端末は，さらに，前記第２要求信号に応答して前記サーバに前記処理要求信号を送信する送信部とを有し，
前記第１または第２の端末のうち前記計測装置への前記計測用信号の到達が早い方の端末の前記送信部は，前記第２要求信号の受信から前記時間差の後に，前記処理要求信号を送信する，
試験システム。
【請求項２】
試験処理を実行するサーバと，前記サーバと通信ネットワークを介して接続する第１及び第２の端末と，
前記第１及び第２の端末の近傍に接続された指示装置と，
前記サーバの近傍に設けられ，前記通信ネットワークを介して前記第１及び第２の端末に接続する計測装置と，を有する試験システムにおいて，
前記指示装置は，前記第１及び第２の端末に計測用信号の送信を要求する第１要求信号を送信する処理部を有し，
前記第１及び第２の端末は，前記第１要求信号に応答して前記計測装置に前記計測用信号を送信する処理部を有し，
前記計測装置は，前記第１及び第２の端末から送信された前記計測用信号の到達の時間差を計測し，前記時間差を前記第１及び第２の端末とに送信する処理部を有し，
前記指示装置は，さらに，前記第１及び第２の端末に，前記サーバに試験処理を要求するための処理要求信号の送信を要求する第２要求信号を，前記第１または第２の端末のうち前記計測装置への前記計測用信号の到達が早い方の端末には前記時間差だけ遅れて送信する処理部を有し，
前記第１及び第２の端末は，さらに，前記第２要求信号に応答して前記サーバに前記処理要求信号を送信する送信部を有する，
試験システム。
【請求項３】
請求項１または請求項２において，
前記指示装置は，前記第１要求信号の送信を，前記第１及び前記第２の端末に同時に行う試験システム。
【請求項４】
請求項１または請求項２において，
前記指示装置は，前記計測用信号の送信を，前記サーバに対する信号の送信が可能であることを示す通知を送信した端末に行う試験システム。
【請求項５】
請求項１または請求項２において，
前記計測装置は，前記サーバと同一ネットワーク内に配置される試験システム。
【請求項６】
請求項１または請求項２において，
前記指示装置は，前記第１及び第２の端末と同一ネットワーク内に配置される試験システム。
【請求項７】
試験処理を実行するサーバと，前記サーバと通信ネットワークを介して接続する第１及び第２の端末と，前記第１及び第２の端末の近傍に接続された指示装置と，前記サーバの近傍に設けられ，前記通信ネットワークを介して前記第１及び第２の端末に接続する計測装置と，を有する試験システムにおける試験方法であって，
前記指示装置は，前記第１及び第２の端末に計測用信号の送信を要求する第１要求信号を送信する第１処理工程を有し，
前記第１及び第２の端末は，前記第１要求信号に応答して前記計測装置に前記計測用信号を送信する第２処理工程を有し，
前記計測装置は，前記第１及び第２の端末から送信された前記計測用信号の到達の時間差を計測し，前記時間差を前記第１及び第２の端末とに送信する第３処理工程を有し，
前記指示装置は，さらに，前記第１及び第２の端末に，前記サーバに試験処理を要求するための処理要求信号の送信を要求する第２要求信号を送信する第４処理工程を有し，
前記第１及び第２の端末は，さらに，前記第２要求信号に応答して前記サーバに前記処理要求信号を送信する送信工程とを有し，
前記第１または第２の端末のうち前記計測装置への前記計測用信号の到達が早い方の端末の前記送信工程は，前記第２要求信号の受信から前記時間差の後に，前記処理要求信号を送信する，
試験方法。
【請求項８】
試験処理を実行するサーバと，前記サーバと通信ネットワークを介して接続する第１及び第２の端末と，前記第１及び第２の端末の近傍に接続された指示装置と，前記サーバの近傍に設けられ，前記通信ネットワークを介して前記第１及び第２の端末に接続する計測装置と，を有する試験システムにおける試験方法であって，
前記指示装置は，前記第１及び第２の端末に計測用信号の送信を要求する第１要求信号を送信する第１処理工程を有し，
前記第１及び第２の端末は，前記第１要求信号に応答して前記計測装置に前記計測用信号を送信する第２処理工程を有し，
前記計測装置は，前記第１及び第２の端末から送信された前記計測用信号の到達の時間を計測し，前記時間差を前記第１及び第２の端末とに送信する第３処理工程を有し，
前記指示装置は，さらに，前記第１及び第２の端末に，前記サーバに試験処理を要求するための処理要求信号の送信を要求する第２要求信号を，前記第１または第２の端末のうち前記計測装置への前記計測用信号の到達が早い方の端末には前記時間差だけ遅れて送信する第４処理工程を有し，
前記第１及び第２の端末は，さらに，前記第２の送信要求信号に応答して前記サーバに前記処理要求信号を送信する送信工程を有する，
試験方法。
【請求項９】
請求項７または請求項８において，
前記第１及び第２の端末から送信された前記処理要求信号が前記サーバに同時に到達するまで，前記第１処理工程と，前記第２処理工程と，前記第３処理工程と，前記第４処理工程と，前記送信工程とを繰り返し行う試験方法。
【手続補正２】
【補正対象書類名】明細書
【補正対象項目名】０００８
【補正方法】変更
【補正の内容】
【０００８】
実施の形態の一つの側面によれば，試験処理を実行するサーバと，前記サーバと通信ネットワークを介して接続する第１及び第２の端末と，
前記第１及び第２の端末の近傍に接続された指示装置と，
前記サーバの近傍に設けられ，前記通信ネットワークを介して前記第１及び第２の端末に接続する計測装置と，を有する試験システムにおいて，
前記指示装置は，前記第１及び第２の端末に計測用信号の送信を要求する第１要求信号を送信する処理部を有し，
前記第１及び第２の端末は，前記第１要求信号に応答して前記計測装置に前記計測用信号を送信する処理部を有し，
前記計測装置は，前記第１及び第２の端末から送信された前記計測用信号の到達の時間差を計測し，前記時間差を前記第１及び第２の端末とに送信する処理部を有し，
前記指示装置は，さらに，前記第１及び第２の端末に，前記サーバに試験処理を要求するための処理要求信号の送信を要求する第２要求信号を送信する処理部を有し，
前記第１及び第２の端末は，さらに，前記第２要求信号に応答して前記サーバに前記処理要求信号を送信する送信部とを有し，
前記第１または第２の端末のうち前記計測装置への前記計測用信号の到達が早い方の端末の前記送信部は，前記第２要求信号の受信から前記時間差の後に，前記処理要求信号を送信する。
【手続補正３】
【補正対象書類名】明細書
【補正対象項目名】００６８
【補正方法】変更
【補正の内容】
【００６８】
（付記１）
試験処理を実行するサーバと，前記サーバと通信ネットワークを介して接続する第１及び第２の端末と，
前記第１及び第２の端末の近傍に接続された指示装置と，
前記サーバの近傍に設けられ，前記通信ネットワークを介して前記第１及び第２の端末に接続する計測装置と，を有する試験システムにおいて，
前記指示装置は，前記第１及び第２の端末に計測用信号の送信を要求する第１要求信号を送信する処理部を有し，
前記第１及び第２の端末は，前記第１要求信号に応答して前記計測装置に前記計測用信号を送信する処理部を有し，
前記計測装置は，前記第１及び第２の端末から送信された前記計測用信号の到達の時間差を計測し，前記時間差を前記第１及び第２の端末とに送信する処理部を有し，
前記指示装置は，さらに，前記第１及び第２の端末に，前記サーバに試験処理を要求するための処理要求信号の送信を要求する第２要求信号を送信する処理部を有し，
前記第１及び第２の端末は，さらに，前記第２要求信号に応答して前記サーバに前記処理要求信号を送信する送信部とを有し，
前記第１または第２の端末のうち前記計測装置への前記計測用信号の到達が早い方の端末の前記送信部は，前記第２要求信号の受信から前記時間差の後に，前記処理要求信号を送信する，
試験システム。
【手続補正４】
【補正対象書類名】明細書
【補正対象項目名】００６９
【補正方法】変更
【補正の内容】
【００６９】
（付記２）
試験処理を実行するサーバと，前記サーバと通信ネットワークを介して接続する第１及び第２の端末と，
前記第１及び第２の端末の近傍に接続された指示装置と，
前記サーバの近傍に設けられ，前記通信ネットワークを介して前記第１及び第２の端末に接続する計測装置と，を有する試験システムにおいて，
前記指示装置は，前記第１及び第２の端末に計測用信号の送信を要求する第１要求信号を送信する処理部を有し，
前記第１及び第２の端末は，前記第１要求信号に応答して前記計測装置に前記計測用信号を送信する処理部を有し，
前記計測装置は，前記第１及び第２の端末から送信された前記計測用信号の到達の時間差を計測し，前記時間差を前記第１及び第２の端末とに送信する処理部を有し，
前記指示装置は，さらに，前記第１及び第２の端末に，前記サーバに試験処理を要求するための処理要求信号の送信を要求する第２要求信号を，前記第１または第２の端末のうち前記計測装置への前記計測用信号の到達が早い方の端末には前記時間差だけ遅れて送信する処理部を有し，
前記第１及び第２の端末は，さらに，前記第２要求信号に応答して前記サーバに前記処理要求信号を送信する処理部を有する，
試験システム。
【手続補正５】
【補正対象書類名】明細書
【補正対象項目名】００７４
【補正方法】変更
【補正の内容】
【００７４】
（付記７）
試験処理を実行するサーバと，前記サーバと通信ネットワークを介して接続する第１及び第２の端末と，前記第１及び第２の端末の近傍に接続された指示装置と，前記サーバの近傍に設けられ，前記通信ネットワークを介して前記第１及び第２の端末に接続する計測装置と，を有する試験システムにおける試験方法であって，
前記指示装置は，前記第１及び第２の端末に計測用信号の送信を要求する第１要求信号を送信する第１処理工程を有し，
前記第１及び第２の端末は，前記第１要求信号に応答して前記計測装置に前記計測用信号を送信する第２処理工程を有し，
前記計測装置は，前記第１及び第２の端末から送信された前記計測用信号の到達の時間差を計測し，前記時間差を前記第１及び第２の端末とに送信する第３処理工程を有し，
前記指示装置は，さらに，前記第１及び第２の端末に，前記サーバに試験処理を要求するための処理要求信号の送信を要求する第２要求信号を送信する第４処理工程を有し，
前記第１及び第２の端末は，さらに，前記第２要求信号に応答して前記サーバに前記処理要求信号を送信する送信工程とを有し，
前記第１または第２の端末のうち前記計測装置への前記計測用信号の到達が早い方の端末の前記送信工程は，前記第２要求信号の受信から前記時間差の後に，前記処理要求信号を送信する，
試験方法。
【手続補正６】
【補正対象書類名】明細書
【補正対象項目名】００７５
【補正方法】変更
【補正の内容】
【００７５】
（付記８）
試験処理を実行するサーバと，前記サーバと通信ネットワークを介して接続する第１及び第２の端末と，前記第１及び第２の端末の近傍に接続された指示装置と，前記サーバの近傍に設けられ，前記通信ネットワークを介して前記第１及び第２の端末に接続する計測装置と，を有する試験システムにおける試験方法であって，
前記指示装置は，前記第１及び第２の端末に計測用信号の送信を要求する第１要求信号を送信する第１処理工程を有し，
前記第１及び第２の端末は，前記第１要求信号に応答して前記計測装置に前記計測用信号を送信する第２処理工程を有し，
前記計測装置は，前記第１及び第２の端末から送信された前記計測用信号の到達の時間を計測し，前記時間差を前記第１及び第２の端末とに送信する第３処理工程を有し，
前記指示装置は，さらに，前記第１及び第２の端末に，前記サーバに試験処理を要求するための処理要求信号の送信を要求する第２要求信号を，前記第１または第２の端末のうち前記計測装置への前記計測用信号の到達が早い方の端末には前記時間差だけ遅れて送信する第４処理工程を有し，
前記第１及び第２の端末は，さらに，前記第２の送信要求信号に応答して前記試験対象サーバに前記処理要求信号を送信する送信工程を有する，
試験方法。